(57)【要約】    【課題】      移動通信端末装置を携帯する時に着信通知装置を持っているか否かを意識する必要がない着信通知システムを提供すること。    【解決手段】  移動通信端末装置１０２は、着信通知装置検索メッセージを周期的に複数の着信通知装置１０３−１、１０３−２に通知し、着信が発生した時に複数の着信通知装置１０３−１、１０３−２を呼び出す優先順位を示す優先順位リストを作成して保存し、前記着信が発生している期間において前記優先順位リスト及び着信通知装置１０３−１、１０３−２からの応答メッセージに基づいて着信通知装置１０３−１、１０３−２のいずれかを選択し選択した当該着信通知装置に着信通知メッセージを送信する。着信通知装置１０３−１、１０３−２の各々は、前記着信通知装置検索メッセージに対応して前記応答メッセージを移動通信端末装置１０２に送り、前記着信通知メッセージを受けた時に前記着信をユーザに通知する。  【選択図】      図１
2005204168.tif 000002
【特許請求の範囲】
【請求項１】
移動通信端末装置と、ユーザが身に付け又は携帯する複数の物に取り付けられている複数の着信通知装置と、を具備し、前記移動通信端末装置は、着信通知装置検索メッセージを周期的に前記複数の着信通知装置に通知する検索メッセージ通知手段と、着信が発生した時に前記複数の着信通知装置を呼び出す優先順位を示す優先順位リストを作成する優先順位リスト作成手段と、前記優先順位リストを保存する優先順位リスト保存手段と、前記着信が発生している期間において前記優先順位リスト及び前記複数の着信通知装置からの応答メッセージに基づいて前記複数の着信通知装置のいずれかを選択し選択した当該着信通知装置に着信通知メッセージを送信する着信通知メッセージ送信手段と、を具備し、前記着信通知装置の各々は、前記検索メッセージ通知手段からの前記着信通知装置検索メッセージに対応して前記応答メッセージを前記移動通信端末装置に送る応答メッセージ送信手段と、前記着信通知メッセージ送信手段からの前記着信通知メッセージを受けた時に前記着信をユーザに通知する通知手段と、を具備する着信通知システム。
【請求項２】
前記優先順位リスト作成手段は、ユーザ設定処理部からのユーザ設定情報に基づいて前記優先順位リストを作成する請求項１に記載の着信通知システム。
【請求項３】
前記着信通知装置の各々は、前記移動通信端末装置からの前記着信通知装置検索メッセージを受信信号として受けて当該受信信号の電波強度を検出して電波強度情報を生成する電波強度検出手段と、前記電波強度情報を前記移動通信端末装置に送信する電波強度情報送信手段と、を具備し、前記優先順位リスト作成手段は、前記電波強度情報を受けて当該電波強度情報の電波強度の大きい方に係る前記着信通知装置の優先順位を高くするように前記優先順位リストを作成する請求項１に記載の着信通知システム。
【請求項４】
前記着信通知装置の各々は、当該着信通知装置の周囲の温度を検出して温度情報を生成する温度検出手段と、前記温度情報を前記移動通信端末装置に送信する温度情報送信手段と、を具備し、前記優先順位リスト作成手段は、前記温度情報を受けて当該温度情報の温度の高い方に係る前記着信通知装置の優先順位を高くするように前記優先順位リストを作成する請求項１に記載の着信通知システム。
【請求項５】
前記移動通信端末装置は、前記複数の着信通知装置からの前記応答メッセージを受けて当該応答メッセージの到着順を検出して到着順情報を生成する到着順検出手段を具備し、前記優先順位リスト作成手段は、前記到着順情報を受けて当該到着順情報の到着順が早い方に係る前記着信通知装置の優先順位を高くするように前記優先順位リストを作成する請求項１に記載の着信通知システム。
【請求項６】
移動通信端末装置と、ユーザが身に付け又は携帯する複数の物に取り付けられている複数の着信通知装置と、を具備し、前記移動通信端末装置は、着信通知装置検索メッセージを周期的に前記複数の着信通知装置に通知する検索メッセージ通知手段と、着信が発生した時に前記複数の着信通知装置を呼び出す優先順位を示す優先順位リストを作成する優先順位リスト作成手段と、前記優先順位リストを保存する優先順位リスト保存手段と、前記着信が発生している期間において前記優先順位リスト及び前記複数の着信通知装置からの応答メッセージに基づいて前記複数の着信通知装置のいずれかを選択し選択した当該着信通知装置に着信通知メッセージを送信する着信通知メッセージ送信手段と、を具備する着信通知システムにおける着信通知装置であって、前記検索メッセージ通知手段からの前記着信通知装置検索メッセージに対応して前記応答メッセージを前記移動通信端末装置に送る応答メッセージ送信手段と、前記着信通知メッセージ送信手段からの前記着信通知メッセージを受けた時に前記着信をユーザに通知する通知手段と、を具備する着信通知装置。
【請求項７】
移動通信端末装置と、ユーザが身に付け又は携帯する複数の物に取り付けられている複数の着信通知装置と、を具備し、前記着信通知装置の各々は、前記移動通信端末装置からの着信通知装置検索メッセージに対応して応答メッセージを前記移動通信端末装置に送る応答メッセージ送信手段と、前記移動通信端末装置からの前記着信通知メッセージを受けた時に前記着信をユーザに通知する通知手段と、を具備する着信通知システムにおける移動通信端末装置であって、前記着信通知装置検索メッセージを周期的に前記複数の着信通知装置に通知する検索メッセージ通知手段と、着信が発生した時に前記複数の着信通知装置を呼び出す優先順位を示す優先順位リストを作成する優先順位リスト作成手段と、前記優先順位リストを保存する優先順位リスト保存手段と、前記着信が発生している期間において前記優先順位リスト及び前記複数の着信通知装置からの前記応答メッセージに基づいて前記複数の着信通知装置のいずれかを選択し選択した当該着信通知装置に前記着信通知メッセージを送信する着信通知メッセージ送信手段と、を具備する移動通信端末装置。
【発明の詳細な説明】
【技術分野】
【０００１】
本発明は、移動通信端末装置が着信を受けた時にユーザに通知する着信通知システムに関する。
【背景技術】
【０００２】
着信通知システムとして特許文献１に記載されたものがある。特許文献１に記載された従来の着信通知システムは、電話機（移動通信端末装置）と着信通知装置とを具備し、前記電話機は当該電話機が着信時に発信する電波を受信して内蔵のアドレス設定スイッチで予め選定したアドレス符号に対応するコード信号を無線送信する送信機を有し、前記着信通知装置は前記コード信号を受信して前記アドレス符号が内蔵のアドレス設定スイッチで選定しているアドレス符号と一致したときにバイブレータを駆動して体感振動を発生させる携帯用受信機を有している。
【特許文献１】特開平８−２２３２５７号公報
【発明の開示】
【発明が解決しようとする課題】
【０００３】
しかしながら、従来の着信通知システムにおいては、電話機（移動通信端末装置）と着信通知装置が一対一で対応しているため、電話機を携帯する時に当該電話機に対応する着信通知装置を意識的に持ち歩く必要があるという問題がある。
【０００４】
本発明は、かかる点に鑑みてなされたものであり、移動通信端末装置を携帯する時に着信通知装置を持っているか否かを意識する必要がない着信通知システムを提供することを目的をする。
【課題を解決するための手段】
【０００５】
請求項１に記載の着信通知システムは、移動通信端末装置と、ユーザが身に付け又は携帯する複数の物に取り付けられている複数の着信通知装置と、を具備し、前記移動通信端末装置が、着信通知装置検索メッセージを周期的に前記複数の着信通知装置に通知する検索メッセージ通知手段と、着信が発生した時に前記複数の着信通知装置を呼び出す優先順位を示す優先順位リストを作成する優先順位リスト作成手段と、前記優先順位リストを保存する優先順位リスト保存手段と、前記着信が発生している期間において前記優先順位リスト及び前記複数の着信通知装置からの応答メッセージに基づいて前記複数の着信通知装置のいずれかを選択し選択した当該着信通知装置に着信通知メッセージを送信する着信通知メッセージ送信手段と、を具備し、前記着信通知装置の各々が、前記検索メッセージ通知手段からの前記着信通知装置検索メッセージに対応して前記応答メッセージを前記移動通信端末装置に送る応答メッセージ送信手段と、前記着信通知メッセージ送信手段からの前記着信通知メッセージを受けた時に前記着信をユーザに通知する通知手段と、を具備する構成を採る。
【０００６】
この構成によれば、ユーザが身に付け又は携帯する複数の物に取り付けられている複数の着信通知装置のいずれかが着信を通知するため、移動通信端末装置を携帯する時に着信通知装置を持っているか否かを意識する必要がない。
【０００７】
請求項２に記載の着信通知システムは、請求項１に記載の発明において、前記優先順位リスト作成手段が、ユーザ設定処理部からのユーザ設定情報に基づいて前記優先順位リストを作成する構成を採る。
【０００８】
この構成によれば、請求項１に記載の発明の効果に加えて、複数の着信通知装置が着信を通知する優先順位をユーザが設定することができる。
【０００９】
請求項３に記載の着信通知システムは、請求項１に記載の発明において、前記着信通知装置の各々が、前記移動通信端末装置からの前記着信通知装置検索メッセージを受信信号として受けて当該受信信号の電波強度を検出して電波強度情報を生成する電波強度検出手段と、前記電波強度情報を前記移動通信端末装置に送信する電波強度情報送信手段と、を具備し、前記優先順位リスト作成手段が、前記電波強度情報を受けて当該電波強度情報の電波強度の大きい方に係る前記着信通知装置の優先順位を高くするように前記優先順位リストを作成する構成を採る。
【００１０】
この構成によれば、請求項１に記載の発明の効果に加えて、着信通知装置の各々が移動通信端末装置からの着信通知装置検索メッセージを受けて生成する電波強度情報に基づいて電波強度の大きい方に係る前記着信通知装置の優先順位を高くするように前記優先順位リストを作成するため、着信通知装置の呼び出しに失敗する確率を低減することができる。
【００１１】
請求項４に記載の着信通知システムは、請求項１に記載の発明において、前記着信通知装置の各々が、当該着信通知装置の周囲の温度を検出して温度情報を生成する温度検出手段と、前記温度情報を前記移動通信端末装置に送信する温度情報送信手段と、を具備し、前記優先順位リスト作成手段が、前記温度情報を受けて当該温度情報の温度の高い方に係る前記着信通知装置の優先順位を高くするように前記優先順位リストを作成する構成を採る。
【００１２】
この構成によれば、請求項１に記載の発明の効果に加えて、優先順位リスト作成手段が、複数の着信通知装置からの温度情報を受けて当該温度情報の温度の高い方に係る前記着信通知装置の優先順位を高くするように前記優先順位リストを作成するため、ユーザの身体から近い位置にある着信通知装置を呼び出すことができる。
【００１３】
請求項５に記載の着信通知システムは、請求項１に記載の発明において、前記移動通信端末装置が、前記複数の着信通知装置からの前記応答メッセージを受けて当該応答メッセージの到着順を検出して到着順情報を生成する到着順検出手段を具備し、前記優先順位リスト作成手段が、前記到着順情報を受けて当該到着順情報の到着順が早い方に係る前記着信通知装置の優先順位を高くするように前記優先順位リストを作成する構成を採る。
【００１４】
この構成によれば、請求項１に記載の発明の効果に加えて、優先順位リスト作成手段が、複数の着信通知装置からの応答メッセージの到着順を検出して生成された到着順情報を受けて当該到着順情報の到着順が早い方に係る着信通知装置の優先順位を高くするように優先順位リストを作成するため、最も着信を早く通知することが可能な着信通知装置を呼び出すことができる。
【００１５】
請求項６に記載の着信通知装置は、移動通信端末装置と、ユーザが身に付け又は携帯する複数の物に取り付けられている複数の着信通知装置と、を具備し、前記移動通信端末装置が、着信通知装置検索メッセージを周期的に前記複数の着信通知装置に通知する検索メッセージ通知手段と、着信が発生した時に前記複数の着信通知装置を呼び出す優先順位を示す優先順位リストを作成する優先順位リスト作成手段と、前記優先順位リストを保存する優先順位リスト保存手段と、前記着信が発生している期間において前記優先順位リスト及び前記複数の着信通知装置からの応答メッセージに基づいて前記複数の着信通知装置のいずれかを選択し選択した当該着信通知装置に着信通知メッセージを送信する着信通知メッセージ送信手段と、を具備する着信通知システムにおける着信通知装置であって、前記検索メッセージ通知手段からの前記着信通知装置検索メッセージに対応して前記応答メッセージを前記移動通信端末装置に送る応答メッセージ送信手段と、前記着信通知メッセージ送信手段からの前記着信通知メッセージを受けた時に前記着信をユーザに通知する通知手段と、を具備する構成を採る。
【００１６】
この構成によれば、ユーザが身に付け又は携帯する複数の物に取り付けられている複数の着信通知装置のいずれかが着信を通知するため、移動通信端末装置を携帯する時に着信通知装置を持っているか否かを意識する必要がない。
【００１７】
請求項７に記載の移動通信端末装置は、移動通信端末装置と、ユーザが身に付け又は携帯する複数の物に取り付けられている複数の着信通知装置と、を具備し、前記着信通知装置の各々が、前記移動通信端末装置からの着信通知装置検索メッセージに対応して応答メッセージを前記移動通信端末装置に送る応答メッセージ送信手段と、前記移動通信端末装置からの前記着信通知メッセージを受けた時に前記着信をユーザに通知する通知手段と、を具備する着信通知システムにおける移動通信端末装置であって、前記着信通知装置検索メッセージを周期的に前記複数の着信通知装置に通知する検索メッセージ通知手段と、着信が発生した時に前記複数の着信通知装置を呼び出す優先順位を示す優先順位リストを作成する優先順位リスト作成手段と、前記優先順位リストを保存する優先順位リスト保存手段と、前記着信が発生している期間において前記優先順位リスト及び前記複数の着信通知装置からの前記応答メッセージに基づいて前記複数の着信通知装置のいずれかを選択し選択した当該着信通知装置に前記着信通知メッセージを送信する着信通知メッセージ送信手段と、を具備する構成を採る。
【００１８】
この構成によれば、ユーザが身に付け又は携帯する複数の物に取り付けられている複数の着信通知装置のいずれかが着信を通知するため、移動通信端末装置を携帯する時に着信通知装置を持っているか否かを意識する必要がない。
【発明の効果】
【００１９】
以上説明したように、本発明によれば、移動通信端末装置を携帯する時に着信通知装置を持っているか否かを意識する必要がない。
【発明を実施するための最良の形態】
【００２０】
本発明の骨子は、移動通信端末装置と、ユーザが身に付け又は携帯する複数の物に取り付けられている複数の着信通知装置と、を具備し、前記移動通信端末装置は、着信通知装置検索メッセージを周期的に前記複数の着信通知装置に通知し、着信が発生した時に前記複数の着信通知装置を呼び出す優先順位を示す優先順位リストを作成して保存し、前記着信が発生している期間において前記優先順位リスト及び前記複数の着信通知装置からの応答メッセージに基づいて前記複数の着信通知装置のいずれかを選択し選択した当該着信通知装置に着信通知メッセージを送信し、前記着信通知装置の各々は、前記着信通知装置検索メッセージに対応して前記応答メッセージを前記移動通信端末装置に送り、前記着信通知メッセージを受けた時に前記着信をユーザに通知する。
【００２１】
以下、本発明の実施の形態について、図面を参照して詳細に説明する。
【００２２】
（実施の形態１）
図１は、本発明の実施の形態１に係る着信通知システムの構成を示す図である。図２は、本発明の実施の形態１に係る着信通知システムの移動通信端末装置の構成を示すブロック図である。図３は、本発明の実施の形態１に係る着信通知システムの着信通知装置の構成を示すブロック図である。
【００２３】
図１に示すように、本発明の実施の形態１に係る着信通知システム１００は、移動体通信網１０１と、複数の移動通信端末装置１０２（１つのみが図示されている）と、ユーザが身に付け又は携帯する複数の物に取り付けられている複数の着信通知装置１０３−１、１０３−２と、を具備している。複数の着信通知装置１０３−１、１０３−２が取り付けられている物としては、時計、メガネ、アクセサリー、携帯音楽再生装置又はパーソナルコンピュータなどがある。図１の例においては、１つの移動通信端末装置１０２に対し２つの着信通知装置１０３−１、１０３−２が対応しているものとする。
【００２４】
移動通信端末装置１０２は、移動体通信網１０１を介して他の通信装置（図示せず）と通信を行う。２つの着信通知装置１０３−１、１０３−２の各々は、移動通信端末装置１０２が着信を受けた時にユーザに通知するものである。
【００２５】
図２に示すように、移動通信端末装置１０２は、アンテナ２０１、２０２、無線処理部２０４、着信検出部２０４、着信通知部２０５、ユーザ設定処理部２０６、ユーザ設定情報保存部２０７、優先順位リスト保存部２０８、リスト作成部２０９、短距離無線処理部２１０、着信通知装置検索部２１１、着信ＡＣＫ受信部２１２及びバインディングアップデート（ＢＵ）受信部２１３を具備している。
【００２６】
アンテナ２０１は、他の通信装置に対し無線信号の送受信を行うものである。無線処理部２０３は、アンテナ２０１からの受信信号に対し所定の処理をして受信信号を着信検出部２０４に与える。着信検出部２０４は、アンテナ２０１からの受信信号のうちの着信信号を検出して着信通知部２０５に与える。着信通知部２０５は、着信検出部２０４からの着信信号を受けた時に短距離無線処理部２１０及びアンテナ２０２を介して着信通知装置１０３−１、１０３−２のいずれかに着信通知メッセージを送信する。
【００２７】
ユーザ設定処理部２０６は、ユーザに操作され、着信が発生した時に複数の着信通知装置１０３−１、１０３−２を呼び出す優先順位を示すユーザ設定情報をユーザ設定情報保存部２０７に与えるものである。ユーザ設定情報保存部２０７は、ユーザ設定処理部２０６からのユーザ設定情報を保存する。
【００２８】
優先順位リスト保存部２０８は、着信が発生した時に複数の着信通知装置１０３−１、１０３−２を呼び出す優先順位を決定する優先順位リストを保存するものである。リスト作成部２０９は、ユーザ設定情報保存部２０７のユーザ設定情報又はＢＵ受信部２１３からのＢＵメッセージ（応答メッセージ）に基づいて優先順位リストを作成して優先順位リスト保存部２０８に与える。優先順位リスト保存部２０８は、リスト作成部２０９からの優先順位リストを保存する。
【００２９】
着信ＡＣＫ受信部２１２は、着信通知装置１０３−１、１０３−２からの着信ＡＣＫメッセージをアンテナ２０２及び短距離無線処理部２１０を介して受けて着信通知部２０５に与える。
【００３０】
着信通知装置検索部２１１は、着信通知装置検索メッセージを短距離無線処理部２１０及びアンテナ２０２を介して周期的に複数の着信通知装置１０３−１、１０３−２に通知する。複数の着信通知装置１０３−１、１０３−２は、着信通知装置検索メッセージを受けた時にＢＵメッセージ（応答メッセージ）を移動通信端末装置１０２に送信する。ＢＵ受信部２１３は、着信通知装置１０３−１、１０３−２からのＢＵメッセージをアンテナ２０２及び短距離無線処理部２１０を介して受けてリスト作成部２０９に与える。このＢＵメッセージは、着信通知装置１０３−１、１０３−２のアドレス情報及び通知能力（例えば、振動による通知又は光による通知）の情報を含むものである。
【００３１】
図３に示すように、着信通知装置１０３−１は、アンテナ３０１、短距離無線処理部３０２、検索情報受信部３０３、ＢＵ送信部３０４、通知装置情報保存部３０５、着信通知受信部３０６、ユーザ通知部３０７及び着信ＡＣＫ送信部３０８を具備している。
【００３２】
検索情報受信部３０３は、移動通信端末装置１０２からの着信通知装置検索メッセージをアンテナ３０１及び短距離無線処理部３０２を介して受けてＢＵ送信部３０４に与える。ＢＵ送信部３０４は、着信通知装置検索メッセージを受けた時に通知装置情報保存部３０５に保存されている着信通知装置１０３−１のアドレス情報及び通知能力情報を含むＢＵメッセージを生成して短距離無線処理部３０２及びアンテナ３０１を介して移動通信端末装置１０２に送信する。
【００３３】
着信通知受信部３０６は、移動通信端末装置１０２からの着信通知メッセージを正常に受信した時に着信通知メッセージをユーザ通知部３０７及び着信ＡＣＫ送信部３０８に与える。ユーザ通知部３０７は、着信通知メッセージを受けた時に振動又は光などによりユーザに通知する。着信ＡＣＫ送信部３０８は、着信通知受信部３０６が着信通知メッセージを正常に受信した時に着信ＡＣＫメッセージを生成して短距離無線処理部３０２及びアンテナ３０１を介して移動通信端末装置１０２に送信する。なお、着信通知装置１０３−２は、着信通知装置１０３−１と同じ構成である。
【００３４】
次に、本発明の実施の形態１に係る着信通知システムの動作の１例について、図１、図２及び図３と共に図４を参照して説明する。図４は、本発明の実施の形態１に係る着信通知システムの動作の１例を説明するためのシーケンス図である。
【００３５】
移動通信端末装置１０２は、着信通知装置検索メッセージを着信通知装置１０３−１、１０３−２に送信する。着信通知装置１０３−１、１０３−２は、着信通知装置検索メッセージを受けた時にＢＵメッセージを移動通信端末装置１０２に送信する。
【００３６】
次に、移動通信端末装置１０２は、優先順位リストを作成して保存する。この場合の優先順位リストは、着信通知装置１０３−２の優先順位が最も高く、着信通知装置１０３−１の優先順位がその次の高さである。移動通信端末装置１０２は、着信を受けた時に着信通知メッセージを着信通知装置１０３−２に送信する。着信通知装置１０３−２は、着信通知メッセージを正常に受信した時に着信ＡＣＫメッセージを移動通信端末装置１０２に送信する。
【００３７】
次に、本発明の実施の形態１に係る着信通知システムの動作の他の例について、図１、図２及び図３と共に図５を参照して説明する。図５は、本発明の実施の形態１に係る着信通知システムの動作の他の例を説明するためのシーケンス図である。
【００３８】
移動通信端末装置１０２は、着信通知装置検索メッセージを着信通知装置１０３−１、１０３−２に送信する。着信通知装置１０３−１、１０３−２は、着信通知装置検索メッセージを受けた時にＢＵメッセージを移動通信端末装置１０２に送信する。
【００３９】
次に、移動通信端末装置１０２は、優先順位リストを作成して保存する。この場合の優先順位リストは、着信通知装置１０３−２の優先順位が最も高く、着信通知装置１０３−１の優先順位がその次の高さである。移動通信端末装置１０２は、着信を受けた時に着信通知メッセージを着信通知装置１０３−２に送信する。
【００４０】
移動通信端末装置１０２は、所定時間内に着信通知装置１０３−２からの着信ＡＣＫメッセージを受信しない時には、次の順位の着信通知装置１０３−１に着信通知メッセージを送信する。着信通知装置１０３−１は、着信通知メッセージを正常に受信した時に着信ＡＣＫメッセージを移動通信端末装置１０２に送信する。
【００４１】
次に、本発明の実施の形態１に係る着信通知システムの動作の他の例について、図１、図２及び図３と共に図６を参照して説明する。図６は、本発明の実施の形態１に係る着信通知システムの動作の他の例を説明するためのシーケンス図である。
【００４２】
移動通信端末装置１０２は、着信通知装置検索メッセージを着信通知装置１０３−１、１０３−２に送信する。着信通知装置１０３−１、１０３−２は、着信通知装置検索メッセージを受けた時にＢＵメッセージを移動通信端末装置１０２に送信する。
【００４３】
次に、移動通信端末装置１０２は、優先順位リストを作成して保存する。この場合の優先順位リストは、着信通知装置１０３−２の優先順位が最も高く、着信通知装置１０３−１の優先順位がその次の高さである。移動通信端末装置１０２は、着信を受けた時に着信通知メッセージを着信通知装置１０３−２に送信する。
【００４４】
移動通信端末装置１０２は、所定時間内に移動通信端末装置１０２の通信状態が着信から通話又は切断にならない時には、次の順位の着信通知装置１０３−１に着信通知メッセージを送信する。着信通知装置１０３−１は、着信通知メッセージを正常に受信した時に着信ＡＣＫメッセージを移動通信端末装置１０２に送信する。
【００４５】
なお、本発明の実施の形態１においては、着信通知装置１０３−１のユーザ通知部３０７は、振動のみによる通知、音のみによる通知、光のみによる通知又は振動、音及び光の２もしくは３つの組み合わせによる通知を行うように構成してもよい。また、ユーザ設定処理部２０６は、ユーザ通知部３０７の構成を指定（設定）するユーザ設定情報を設定可能とし、また、ユーザ通知部３０７の異なる構成のものを作動させる順序を指定（設定）するユーザ設定情報を設定可能としてもよい。
【００４６】
このように、本発明の実施の形態１においては、ユーザが身に付ける複数の物に取り付けられている複数の着信通知装置のいずれかが着信を通知するため、移動通信端末装置を携帯する時に着信通知装置を持っているか否かを意識する必要がない。また、本発明の実施の形態１においては、複数の着信通知装置が着信を通知する優先順位をユーザが設定することができる。
【００４７】
（実施の形態２）
次に、本発明の実施の形態２について、図面を参照して詳細に説明する。図７は、本発明の実施の形態２に係る着信通知システムの構成を示す図である。図８は、本発明の実施の形態２に係る着信通知システムの着信通知装置の構成を示すブロック図である。本発明の実施の形態２においては、本発明の実施の形態１と同じ構成要素には同じ参照符号が付されて、その説明が省略される。
【００４８】
図７に示すように、本発明の実施の形態２に係る着信通知システム７００は、移動体通信網１０１と、複数の移動通信端末装置１０２（１つのみが図示されている）と、ユーザが身に付ける複数の物に取り付けられている複数の着信通知装置７０１−１、７０１−２と、を具備している。
【００４９】
図８に示すように、本発明の実施の形態２に係る着信通知装置７０１−１（７０１−２）は、本発明の実施の形態１に係る着信通知装置１０３−１において電波強度検出部８０１を追加してなる。すなわち、着信通知装置７０１−１は、アンテナ３０１、短距離無線処理部３０２、検索情報受信部３０３、ＢＵ送信部３０４、通知装置情報保存部３０５、着信通知受信部３０６、ユーザ通知部３０７、着信ＡＣＫ送信部３０８及び電波強度検出部８０１を具備している。
【００５０】
電波強度検出部８０１は、移動通信端末装置１０２からの送信信号をアンテナ３０１及び短距離無線処理部３０２を介して受信信号として受けて当該受信信号の電波強度を検出して電波強度情報を生成してＢＵ送信部３０４に与える。ＢＵ送信部３０４は、着信通知装置７０１−１、７０１−２のアドレス情報及び通知能力情報に電波強度情報を追加してＢＵメッセージを生成して短距離無線処理部３０２及びアンテナ３０１を介して移動通信端末装置１０２に送信する。この場合に、移動通信端末装置１０２のリスト作成部２０９は、着信通知装置７０１−１、７０１−２からの電波強度情報の電波強度が大きい方に係る前記着信通知装置の優先順位が高くなるように優先順位リストを作成する。また、この場合には、ユーザ設定処理部２０６及びユーザ設定情報保存部２０７は、不要となる。
【００５１】
このように、本発明の実施の形態２においては、ユーザが身に付ける複数の物に取り付けられている複数の着信通知装置のいずれかが着信を通知するため、移動通信端末装置を携帯する時に着信通知装置を持っているか否かを意識する必要がない。また、本発明の実施の形態２においては、着信通知装置の各々が移動通信端末装置からの着信通知装置検索メッセージを受けて生成する電波強度情報に基づいて電波強度の大きい方に係る前記着信通知装置の優先順位を高くするように前記優先順位リストを作成するため、着信通知装置の呼び出しに失敗する確率を低減することができる。
【００５２】
（実施の形態３）
次に、本発明の実施の形態３について、図面を参照して詳細に説明する。図９は、本発明の実施の形態３に係る着信通知システムの構成を示す図である。図１０は、本発明の実施の形態３に係る着信通知システムの着信通知装置の構成を示すブロック図である。本発明の実施の形態３においては、本発明の実施の形態１と同じ構成要素には同じ参照符号が付されて、その説明が省略される。
【００５３】
図９に示すように、本発明の実施の形態３に係る着信通知システム９００は、移動体通信網１０１と、複数の移動通信端末装置１０２（１つのみが図示されている）と、ユーザが身に付ける複数の物に取り付けられている複数の着信通知装置９０１−１、９０１−２と、を具備している。
【００５４】
図１０に示すように、本発明の実施の形態３に係る着信通知装置９０１−１（９０１−２）は、本発明の実施の形態１に係る着信通知装置１０３−１において温度検出部１００１を追加してなる。すなわち、着信通知装置９０１−１は、アンテナ３０１、短距離無線処理部３０２、検索情報受信部３０３、ＢＵ送信部３０４、通知装置情報保存部３０５、着信通知受信部３０６、ユーザ通知部３０７、着信ＡＣＫ送信部３０８及び温度検出部１００１を具備している。
【００５５】
温度検出部１００１は、着信通知装置９０１−１の周囲の温度を検出して温度情報を生成してＢＵ送信部３０４に与える。ＢＵ送信部３０４は、着信通知装置９０１−１、９０１−２のアドレス情報及び通知能力情報に温度情報を追加してＢＵメッセージを生成して短距離無線処理部３０２及びアンテナ３０１を介して移動通信端末装置１０２に送信する。この場合に、移動通信端末装置１０２のリスト作成部２０９は、着信通知装置９０１−１、９０１−２からの温度情報の温度が大きい方に係る前記着信通知装置の優先順位が高くなるように優先順位リストを作成する。また、この場合には、ユーザ設定処理部２０６及びユーザ設定情報保存部２０７は、不要となる。
【００５６】
このように、本発明の実施の形態３においては、ユーザが身に付ける複数の物に取り付けられている複数の着信通知装置のいずれかが着信を通知するため、移動通信端末装置を携帯する時に着信通知装置を持っているか否かを意識する必要がない。また、本発明の実施の形態３においては、優先順位リスト作成手段が、複数の着信通知装置からの温度情報を受けて当該温度情報の温度の高い方に係る前記着信通知装置の優先順位を高くするように前記優先順位リストを作成するため、ユーザの身体から近い位置にある着信通知装置を呼び出すことができる。
【００５７】
（実施の形態４）
次に、本発明の実施の形態３について、図面を参照して詳細に説明する。図１１は、本発明の実施の形態４に係る着信通知システムの構成を示す図である。図１２は、本発明の実施の形態４に係る着信通知システムの移動通信端末装置の構成を示すブロック図である。本発明の実施の形態３においては、本発明の実施の形態１と同じ構成要素には同じ参照符号が付されて、その説明が省略される。
【００５８】
図１１に示すように、本発明の実施の形態４に係る着信通知システム１１００は、移動体通信網１０１と、複数の移動通信端末装置１１０１（１つのみが図示されている）と、ユーザが身に付ける複数の物に取り付けられている複数の着信通知装置１０３−１、１０３−２と、を具備している。
【００５９】
図１２に示すように、本発明の実施の形態４に係る移動通信端末装置１１０１は、本発明の実施の形態１に係る移動通信端末装置１０２において到着順検出部１２０１を追加してなる。
【００６０】
到着順検出部１２０１は、着信通知装置１０３−１、１０３−２からのＢＵメッセージをアンテナ２０２、短距離無線処理部２１０及びＢＵ受信部２１３を介して受けて着信通知装置１０３−１、１０３−２のＢＵメッセージの到着順を検出して到着順情報を生成してリスト作成部２０９に与える。リスト作成部２０９は、到着順情報の到着順が早い方のＢＵメッセージに係る前記着信通知装置の優先順位が高くなるように優先順位リストを作成する。この場合には、ユーザ設定処理部２０６及びユーザ設定情報保存部２０７は、不要となる。
【００６１】
このように、本発明の実施の形態４においては、ユーザが身に付ける複数の物に取り付けられている複数の着信通知装置のいずれかが着信を通知するため、移動通信端末装置を携帯する時に着信通知装置を持っているか否かを意識する必要がない。また、本発明の実施の形態４においては、優先順位リスト作成手段が、複数の着信通知装置からの応答メッセージの到着順を検出して生成された到着順情報を受けて当該到着順情報の到着順が早い方に係る着信通知装置の優先順位を高くするように優先順位リストを作成するため、最も着信を早く通知することが可能な着信通知装置を呼び出すことができる。
【産業上の利用可能性】
【００６２】
本発明は、移動通信端末装置を携帯する時に着信通知装置を持っているか否かを意識する必要がない着信通知を行うのに有用である。
【図面の簡単な説明】
【００６３】
【図１】本発明の実施の形態１に係る着信通知システムの構成を示す図
【図２】本発明の実施の形態１に係る着信通知システムの移動通信端末装置の構成を示すブロック図
【図３】本発明の実施の形態１に係る着信通知システムの着信通知装置の構成を示すブロック図
【図４】本発明の実施の形態１に係る着信通知システムの動作の１例を説明するためのシーケンス図
【図５】本発明の実施の形態１に係る着信通知システムの動作の他の例を説明するためのシーケンス図
【図６】本発明の実施の形態１に係る着信通知システムの動作の他の例を説明するためのシーケンス図
【図７】本発明の実施の形態２に係る着信通知システムの構成を示す図
【図８】本発明の実施の形態２に係る着信通知システムの着信通知装置の構成を示すブロック図
【図９】本発明の実施の形態３に係る着信通知システムの構成を示す図
【図１０】本発明の実施の形態３に係る着信通知システムの着信通知装置の構成を示すブロック図
【図１１】本発明の実施の形態４に係る着信通知システムの構成を示す図
【図１２】本発明の実施の形態４に係る着信通知システムの移動通信端末装置の構成を示すブロック図
【符号の説明】
【００６４】
１００、７００、９００、１１００  着信通知システム
１０１  移動体通信網
１０２、１１０１  移動通信端末装置
１０３−１、１０３−２、７０１−１、７０１−２、９０１−１、９０１−２  着信通知装置
２０１、２０２  アンテナ
２０３  無線処理部
２０４  着信検出部
２０５  着信通知部
２０６  ユーザ設定処理部
２０７  ユーザ設定情報保存部
２０８  優先順位リスト保存部
２０９  リスト作成部
２１０  短距離無線処理部
２１１  着信通知装置検索部
２１２  着信ＡＣＫ受信部
２１３  バインディングアップデート（ＢＵ）受信部
３０１  アンテナ
３０２  短距離無線処理部
３０３  検索情報受信部
３０４  ＢＵ送信部
３０５  通知装置情報保存部
３０６  着信通知受信部
３０７  ユーザ通知部
３０８  着信ＡＣＫ送信部
８０１  電波強度検出部
１００１  温度検出部
１２０１  到着順検出部
【図１】
2005204168.tif 000003
【図２】
2005204168.tif 000004
【図３】
2005204168.tif 000005
【図４】
2005204168.tif 000006
【図５】
2005204168.tif 000007
【図６】
2005204168.tif 000008
【図７】
2005204168.tif 000009
【図８】
2005204168.tif 000010
【図９】
2005204168.tif 000011
【図１０】
2005204168.tif 000012
【図１１】
2005204168.tif 000013
【図１２】
2005204168.tif 000014